(57)【要約】【課題】確実にフィルムを開閉することができるトンネルハウスの開閉装置を提供する。【解決手段】複数の開閉具１０をトンネルハウスのパイプ３１の根本又は、パイプとパイプの間の土の上にほぼ水平に置き、Ｕ字ピン１６などで回動自在に固定する。開閉具と開閉具の中間にあるトンネルハウスの複数のパイプ３１には、紐掛具５２を固定する。開閉具の紐挿通部１３と紐掛具５２とを交互に通過するように紐５１を通し、紐の一端はトンネルハウスの一端に設けられた杭に固定する。紐の他端を引っ張ると、紐挿通部１３は、本体部１１を中心として回転し、フィルム持上部１４が上昇してフィルム３１の裾を持ち上げ、トンネルハウスを開く。紐を緩めると、フィルム持上部も下降してフィルムの裾は地面に着き、トンネルハウスは閉じる。【選択図】        図４
2004194513.tif 000002
【特許請求の範囲】
【請求項１】
地上近くに回動可能に固定される棒状の本体部と、該本体部と交差する方向に延設された枝部と、該枝部の上記本体部から離間した位置に形成された紐挿通部と、上記本体部とほぼ平行に設けられたフィルム持上部と、該フィルム持上部と上記本体部との連結部と、を有することを特徴とするトンネルハウスの開閉具。
【請求項２】
上記枝部と連結部とが接続部で接続されていることを特徴とする請求項１記載のトンネルハウスの開閉具。
【請求項３】
上記本体部が、中空の筒体内に回動自在に挿通されていることを特徴とする請求項１又は２記載のトンネルハウスの開閉具。
【請求項４】
上記フィルム持上部が、上記連結部に対してスライド可能で、上記本体部との距離を変更できることを特徴とする請求項１から３のいずれかに記載のトンネルハウスの開閉具。
【請求項５】
上記枝部が上記連結部を兼ねていることを特徴とする請求項１から４のいずれかに記載のトンネルハウスの開閉具。
【請求項６】
上記フィルム持上部にフィルムの滑落を防止する突出部を有することを特徴とする請求項１から５のいずれかに記載のトンネルハウスの開閉具。
【請求項７】
上記紐挿通部が、上記本体部とフィルム持上部とで形成される平面から離間した位置に設けられていることを特徴とする請求項１から６のいずれかに記載のトンネルハウスの開閉具。
【請求項８】
請求項１から７のいずれかに記載のトンネルハウスの開閉具をトンネルハウスの長手方向に沿ってほぼ等間隔に複数個配置し、本体部をほぼ水平に置いた状態で回動可能に固定し、各開閉具と開閉具の中間にあるトンネルハウスのパイプに複数の紐掛具を固定し、各開閉具の紐挿通部と紐掛具とを交互に通過するように紐を挿通し、該紐の一端をトンネルハウスの一端側に固定したことを特徴とするトンネルハウスの開閉装置。
【請求項９】
上記固定された本体部から離間した位置に紐挿通部材を設け、該紐挿通部材に挿通され、一端が上記本体部に対応する紐挿通部に固定され、他端がフィルムに固定される第２の紐を設けたことを特徴とする請求項８記載のトンネルハウスの開閉装置。
【発明の詳細な説明】
【０００１】
【発明が属する技術分野】
本発明は、トンネル型ビニールハウスの裾に取り付けてビニールフィルムの開閉を容易にする開閉具とトンネルハウスの開閉装置に関する。
【０００２】
スイカやメロン等の果物や、茄子やきゅうり等の野菜には、トンネルハウスと呼ばれるトンネル型をしたビニールハウスで栽培されるものが数多くある。図１５は、トンネルハウスの斜視図である。トンネルハウスは、畑の畝をまたぐようにしてパイプ３１を等間隔に地面に突き刺し、その上からフィルム３２を一重乃至三重に被せたものになっている。パイプ３１は金属や合成樹脂のパイプや丸棒等を半円形状に湾曲させたもので、フィルム３２は透明乃至半透明のビニールフィルムを使用している。フィルム３２はパイプ３１の長さよりも大きいため、フィルム３２の裾３３が地面との隙間を少なくして保温性を高めている。
【０００３】
このようなトンネルハウスは、夜間等外気の温度が低い時にはビニールフィルムで密閉するが、日中はトンネルハウス内の気温が上がるため、ビニールフィルムの裾３３を持ち上げて内部の温度を調節する必要がある。スイカ等の温度管理を厳密に行う必要がある作物では、裾３３の上げ下ろしを頻繁に行わなければならず、重労働であった。
【０００４】
そこで、特許文献１（登録実用新案第３０２２５５１号）に示すような、フィルムの開閉具が考案された。図１６は、この開閉具を示す図である。開閉具４０は、直径約１ｃｍの鋼材を長さ約１７ｃｍ程度に切断して形成したフィルム掛止部４１と、それよりも細めの鋼材を使用した吊下部４２で構成される。吊下部４２は一方の端を捻じ曲げてリング４３を形成し、もう一方の端はフィルム掛止部４１に対して約４５度の角度で固定されている。すなわち、リング４３のところで開閉具４０を吊り下げたとき、フィルム掛止部４１がほぼ水平になるようになっている。リング４３の先端部分は環状に曲げられて交差し、交差部４５を形成している。このような交差部４５を形成することで、リング４３内に紐を通すのが容易になる。クリップ４４はフィルム掛止部４１との間にフィルム３２を挟んで固定するためのものである。
【０００５】
図１７はクリップ４４の正面図及び側面図である。（ａ）は正面図で、（ｂ）は側面図となっている。クリップ４４は正面から見ると樹脂を馬蹄形に形成したものであり、馬蹄形の内側にフィルム掛止部４１及びフィルムが嵌めこまれる。クリップ４４の上には、クリップ４４がフィルム掛止部４１から外れないようにするための、金属製のばね４４ａが取り付けられている。ばね４４ａはクリップ４４の隆起部４４ｂによって、図１７（ｂ）の左右方向への動きが抑えられている。クリップ４４に差し込まれたフィルム掛止部４１は、突起部４４ｃによって保持される。
【０００６】
図１８は、従来の開閉具４０の使用状態を表す図である。パイプ３１とフィルム３２は図１５と同じものとなっている。まず、開閉具４０のフィルム掛止部４１をパイプ３１とパイプ３１の中間の裾３３の下からトンネルハウス内に潜り込ませ、クリップ４４とフィルム掛止部４１の間にフィルム３２を挟んで固定する。次に紐５１をパイプ３１に取り付けられた紐掛具５２に通し末端を杭５３等に結んで固定する。最後に紐５１を各開閉具４０の交差部４５からリング４３内に通す。紐５１としては、綿ロープや麻ロープなどの天然繊維を始め、各種合成繊維のロープを使用することができる。
【０００７】
上記の準備が完了した後、紐５１を矢印の方向へ引くと、複数の開閉具４０が一斉に上昇し、同時に各フィルム掛止部４１に固定された裾３３が持ちあがってトンネルハウスを開き、内部の温度を調節することが可能となる。そして、紐５１を緩めれば、開閉具４０は自身の重みで下がることでトンネルハウスを閉じ、内部の熱を逃がさないようになる。このような開閉具４０を使用することにより、温度管理が極めて容易にできるようになった。
【０００８】
【特許文献１】登録実用新案第３０２２５５１号  図１
【０００９】
【発明が解決しようとする課題】
しかし、上記の従来の開閉具には、フィルムの上げ下ろしを確実にできない幾つかの問題がある。
【００１０】
第１は、リング４３から紐５１が外れ易いという問題である。開閉具４０のリング４３は吊下部４２の丸棒をリング状に捻じ曲げ、交差部４５で交差させたものである。交差部４５は最初は密着していても、繰り返し紐５１を通していると隙間ができ、大きくなって外れやすくなる。又は、交差部４５は、ほぼ点なので、通過するのが比較的に容易であるとか、交差部４５がリング４３の中央にあるので紐５１が近づき易いといった理由から外れ易い。リング４３から紐５１が外れた開閉具４０は、地上に落下してフィルム３２を閉じるので、温度調節ができなくなってしまう。
【００１１】
第２は、フィルム掛止部４１からクリップ４４と共にフィルム３２が抜け落ち易いという問題である。フィルム３２はフィルム掛止部４１上に載せ、その上からクリップ４４を装着して保持される構造になっている。しかし、クリップ４４がフィルム掛止部４１上を滑り、フィルム掛止部４１の先端から抜け落ちるためである。
【００１２】
第３は、吊下部４２の強度不足を原因とするものである。紐５１を引っ張ると開閉具４０にフィルム３２が折り重なり、このときのフィルム３２の荷重がフィルム掛止部４１に加わる。この荷重のかかり方によっては吊下部４２が外側に開いてしまい、そこから金属疲労を起こして切断したり、折り重なったフィルム３２がフィルム掛止部４１と吊下部４２との接合部に集まることによって重心がずれてフィルム掛止部４１が上を向いてしまい、フィルム掛止部４１の先端でフィルム３２を損傷してしまうなどの問題も起こっていた。
【００１３】
また、次のような問題もある。開閉具４０でフィルム３２の裾３３を持ち上げると、フィルム３２の持ち上げられた部分に皺ができる。そして、この皺の部分にトンネルハウスの内部に生じた水滴が付着したり、雨水が付着すると、皺と皺の間に入った水が接着剤のように作用して紐５１を緩めても開閉具４０が降りなくなってしまうという問題である。似たようなことは、外気温が下がった場合にも起こる。外気温が下がるとフィルム３２が固くなってしまい、皺が固定されて、紐５１を緩めても開閉具４０が降りなくなるのである。さらには、フィルム３２の裾３３を繰り返し昇降させることによって経時的に硬化する傾向も認められている。
【００１４】
本発明はこれらの問題の解決を図ったもので、丈夫で破損しにくく、クリップの抜け落ちがなく、しかも、フィルムを損傷することのないトンネルハウスの開閉具と、確実にフィルムを閉止状態にすることができるトンネルハウスの開閉装置を提供することを目的としている。
【００１５】
【課題を解決するための手段】
上記目的を達成するために本発明のトンネルハウスの開閉具は、地上近くに回動可能に固定される棒状の本体部と、該本体部と交差する方向に延設された枝部と、該枝部の上記本体部から離間した位置に形成された紐挿通部と、上記本体部とほぼ平行に設けられたフィルム持上部と、該フィルム持上部と上記本体部との連結部と、を有することを特徴としている。
【００１６】
上記枝部と連結部とが接続部で接続さた構成としたり、上記本体部が、中空の筒体内に回動自在に挿通されている構成としたり、上記フィルム持上部が、上記連結部に対してスライド可能で、上記本体部との距離を変更できる構成としたり、上記枝部が上記連結部を兼ねている構成としたり、上記フィルム持上部にフィルムの滑落を防止する突出部を設けた構成としたり、上記紐挿通部が、上記本体部とフィルム持上部とで形成される平面から離間した位置に設けられている構成とすることができる。
【００１７】
本発明のトンネルハウスの開閉装置は、上記のいずれかに記載のトンネルハウスの開閉具をトンネルハウスの長手方向に沿ってほぼ等間隔に複数個配置し、本体部をほぼ水平に置いた状態で回動可能に固定し、各開閉具と開閉具の中間にあるトンネルハウスのパイプに複数の紐掛具を固定し、各開閉具の紐挿通部と紐掛具とを交互に通過するように紐を挿通し、該紐の一端をトンネルハウスの一端側に固定したことを特徴としている。
【００１８】
上記固定された本体部から離間した位置に紐挿通部材を設け、該紐挿通部材に挿通され、一端が上記本体部に対応する紐挿通部に固定され、他端がフィルムに固定される第２の紐を設けた構成とすることが望ましい。
【００１９】
【作用】
本発明のトンネルハウスの開閉具は、多数の開閉具をトンネルハウスの長手方向にほぼ等間隔に配置し、トンネルハウスのパイプの根本又は、パイプとパイプの間の土の上に本体部をほぼ水平に置き、Ｕ字ピンなどで回動自在に固定して用いる。本体部及びフィルム持上部は、ビニールフィルムの裾の下をくぐらせる。開閉具と開閉具の中間にあるトンネルハウスの複数のパイプには、紐掛具を固定する。開閉具の紐挿通部と紐掛具とを交互に通過するように紐を通し、紐の一端はトンネルハウスの一端に設けられた杭に固定する。紐の他端を引っ張ると、開閉具の紐挿通部は、本体部を中心として回転し、フィルム持上部が円弧を描いて上昇してフィルムの裾を持ち上げ、トンネルハウスを開く。紐を緩めると、紐挿通部は元の位置に下がり、フィルム持上部も下降してフィルムの裾は地面に着き、トンネルハウスは閉じる。トンネルハウスの開閉具は、フィルム持上部が本体部とほぼ平行になっており、地上に平行に配置されるので、姿勢が安定し、フィルムを突き破ることはない。また、フィルム持上部はフィルムの裾を滑ることで裾を昇降させるので、従来のようなクリップを用いないことからクリップの脱落も生じない。
【００２０】
本体部のフィルム持上部と反対側に、本体部から離間して紐挿通部材を固定し、これに挿通された第２の紐の一端を紐挿通部に固定し、他端をフィルムの裾に固定する。第２の紐によって、上昇したフィルムの裾は強制的に下げられることになり、フィルムの裾を確実に引き下げて閉止することができる。
【００２１】
【発明の実施の形態】
以下に本発明の実施例を、図面を用いて詳細に説明する。
図１は、本発明のトンネルハウスの開閉具（以下「開閉具」という）の第１の実施例を示す図である。同図に示す開閉具１０は、本体部１１と、この本体部１１と交差する方向（実施例では直角）に延設された枝部１２と、この枝部１２の先端にある環状の紐挿通部１３と、本体部１１とほぼ平行に設けられたフィルム持上部１４と連結部１５とから構成される。以上の構成のうち、本体部１１、枝部１２、フィルム持上部１４、連結部１５は、それぞれ異なる太さと断面形状のものでよいが、この実施例では、全て同じ径の鉄製又は鋼製等の金属製中実丸棒から構成されている。このようにすることで、同じ素材を用いることができ、製造コストを安価にすることができる。また、開閉具１０のほぼ全体を同じ太さの素材で形成するので、全体の強度を上げることができ、局部的に弱いところができない。なお、実施例では丸棒としたが、本体部１１が回転可能であれば、多角形の棒材であっても問題はない。
【００２２】
上記の構成において、本体部１１と枝部１２は１本の棒材をＬ状に折り曲げることで形成でき、フィルム持上部１４と連結部１５は、別の１本の棒材をＬ字状に折り曲げることで形成でき、両者を溶接等によって接続すればよい。
【００２３】
紐挿通部１３は、枝部１２とは別の細い棒材を環状に曲げて形成し、溶接などで接続することができる。その場合、つなぎ目１３ａは閉塞するか、なるべく狭くするかして、挿通された紐がつなぎ目１３ａから抜けでないようにすることが望ましい。
【００２４】
符号１６はＵ字ピンを示す。このＵ字ピン１６，１６は、図２に示すように、開閉具１０より細い鉄等の金属製の棒をＵ字状に折り曲げたもので、Ｕ字の丸い端部に本体部１１を入れ、地面２０に突き刺して開閉具１０を地上に水平な方向に固定する。Ｕ字ピン１６は、１つの開閉具１０に２つ以上用いている。固定された開閉具１０は、本体部１１を中心に、ほぼ１８０゜の範囲で回動可能な状態となる。
【００２５】
図３は、紐挿通部の変形例を示す図である。（ａ）の斜視図に示す紐通部１１３は、中実の細い鉄棒をコイル状に巻いて中央に紐通しの孔１１３ａを形成したものである。これを枝部１２の先端に溶接やネジ等によって固定する。コイルの巻数は、１．３〜１．８回程度で、１．５回が最適である。紐通部１１３には、隣接する鉄棒相互間に隙間１１３ｂが形成されるが、この隙間は、孔１１３ａの全周には形成されず、０．３周〜０．８周程度となる。コイルの先端部１１３ｃは、孔１１３ａの外側に若干突き出ている。隙間１１３ｂは、図１５の従来例で示した交差部４５のように点のようなものではなく、円弧に沿って長さのある隙間となっている。
【００２６】
紐通部１１３に紐を通すには、紐を軽く張って紐通部１１３の根本に押し当て、隙間１１３ｂの根本から先端に向かって通過させて先端部１１３ｃを通過させると、紐は孔１１３ａに挿通される。紐を孔１１３ａから抜き出すには、紐を軽く張って先端部１１３ｃから隙間１１３ｂを通過させると、紐通部１１３の根本から抜き出すことができる。隙間１１３ｂは従来例に示した交差部４５とは異なり円弧に沿って０．３周〜０．８周程度形成されるので、紐は簡単にはこの隙間を通過することはできず、自然に外れることはない。紐を通す場合も０．３周〜０．８周程度なので、入れにくくなることもない。
【００２７】
図３（ｂ）に示す紐通部１２３は、丸棒を丸く湾曲させ、先端にゴム管１２３ａをはめ込み、このゴム管１２３ａの先端が丸棒の円弧の基端部に当接して隙間を塞ぐようにしている。ゴム管１２３ａに弾性があるので、撓ませて紐を簡単に入れることができるが、ゴム管１２３ａが隙間を塞いでいるので、紐が簡単に抜け出ないようになっている。
【００２８】
図３（ｃ）の紐通部１３３は、開口部に板バネ１３３ａを取り付けた構造である。紐は板バネ１３３ａを外側から押すことで内部に入るが、板バネ１３３ａの先端が紐通部１３３の先端に内側から圧接しているので、出口が閉鎖された状態となり、紐は簡単には抜け出せない。紐を抜き出す場合、板バネ１３３ａの先端を紐通部１３３の先端から離し、できた隙間に紐を通して抜き出すことになる。板バネ１３３ａの先端近くに、紐通部１３３と直交する方向に突起を設けておくと、この突起を指等で押すことで板バネ１３３ａの先端を紐通部１３３の先端から離し易くすることができる。
【００２９】
図４は、本発明のトンネルハウスの開閉装置の構成を示す図である。図５は、図４のＡから見た拡大図である。開閉具１０は、トンネルハウスの１つおきのパイプ３１の根本に、図４の仮想線に示すように水平に取り付けられる。このとき、開閉具１０の本体部１１とフィルム持上部１４との間にパイプ３１が入り、パイプ３１と本体部１１とが殆ど接触する程度に近づくようにする。また、フィルム３２の裾３３をフィルム持上部１４の上に載せる。トンネルハウスのフィルム３２が複数ある場合でも全てのフィルム３２を一斉に昇降できるように、フィルム持上部１４の長さを決める。開閉具１０が取り付けられない方のパイプ３１には、中間の高さに紐掛具５２を取り付けておく。
【００３０】
この後、紐５１を仮想線に示すように、紐掛具５２と開閉具１０の紐挿通部１３とを交互に通過させ一端を図１８に示すような杭５３に固定し、他端は人手などで引っ張れるようにしておく。そして紐５１を引っ張ると、紐５１は直線に近づこうとして紐挿通部１３を上方に持ち上げる。これに伴って開閉具１０も図４の時計方向に回転し、実線に示す位置にくる。このときフィルム持上部１４はフィルム３２の裾３３を持ち上げるので、トンネルハウスの内部に外気が進入可能となり、トンネル内の温度を外気温度になるように低下させる。
【００３１】
なお、フィルム持上部１４は円弧に沿って移動するので、フィルム３２の裾３３を把持せずに、フィルム３２の裾３３を滑るようにして持ち上げている。そのため、フィルム持上部１４と裾３３はクリップ４４（図１６）で係止することはない。したがって、クリップ４４が抜け落ちることもない。
【００３２】
開閉具１０は、本体部１１とフィルム持上部１４との間にパイプ３１を挟んでいるので、フィルム持上部１４がパイプ３１に当たるとそれ以上の回転が阻止される。このとき枝部１２は、垂直の位置にまではならずに、若干元の位置の方に傾いている。したがって、この状態で紐５１を緩めれば、フィルム持上部１４の重さにより開閉具１０は必ず反時計方向に回って仮想線で示す元の位置に戻り、フィルム３２の裾３３も地面まで下がり、トンネルハウスは閉鎖される。以上によって、フィルム３２の裾３３を昇降してトンネルハウスの換気を行うことができる。
【００３３】
しかし、裾３３を持ち上げたあと、フィルム持上部１４が下がっても裾３３が下がらない場合がある。たとえば、持ち上げたときにフィルム３２に皺が寄るが、低温等によってフィルム３２が硬化して、延びなくなったり、フィルムに付着した水分でフィルムの皺の部分が密着したりするためである。
【００３４】
これに対して、図６、図７に示すような方法がある。開閉具１０をその本体部１１がパイプ３１にほぼ密着するようにして２本のＵ字ピン１６で係止する。図４の実施例と同様に紐５１を張る。図６に示すように、開閉具１０を地上に倒した状態にし、開閉具１０の枝部１２と紐挿通部１３とを合わせた長さをＬとし、開閉具１０の反対側にこれとほぼ同じ距離をとって、ここにＵ字ピン１６等からなる紐挿通部材１９を打ち込み固定する。この紐挿通部材１９に近接したフィルム３２に固定部３４を形成してこの固定部と紐挿通部１３とを第２の紐５４で繋ぐ。第２の紐５４は、紐挿通部材１９に挿通され、両端は紐挿通部１３と固定部３４とに縛るとか接着するなどの適当な方法で固定される。
【００３５】
以上の設定がされたら、紐５１を図４で説明したように引っ張る。すると、開閉具１０は図７に示すように本体部１１を中心にして時計方向に回転する。これに伴い、フィルム持上部１４は上昇し、裾３３を上げる。第２の紐５４の方は、紐挿通部１３と紐挿通部材１９との直線距離が短縮されるので、固定部３４は、フィルム持上部１４の上昇に伴って上昇することができる。したがって、裾３３は上がって換気される状態となる。
【００３６】
図８は、フィルム持上部１４がパイプ３１に当たってそれ以上の回転を阻止された状態である。このとき、紐挿通部１３と紐挿通部材１９との直線距離も最短距離となり、固定部３４も最高の位置に上昇することになる。
【００３７】
この後、紐５１を緩めると、開閉具１０は自重で反時計方向に回転して、図８→図７→図６の状態へと変化する。図６の状態になったとき、紐挿通部１３と紐挿通部材１９との直線距離も最大となり、固定部３４は強制的に紐挿通部材１９に引き寄せられるので、フィルム３２は閉じられることになる。以上によって、開閉具１０はフィルム３２の開閉を確実に行うことができる。
【００３８】
図９は本発明における開閉具の第２実施例を示す図で、（ａ）は斜視図、（ｂ）は（ａ）のＢから見た図である。開閉具１００は、本体部１０１と、これに交差するように延びる枝部１０２と、枝部の先端に設けられた紐挿通部１０３と、フィルム持上部１０４と、連結部１０５とから構成されている。これらの構成は図１の実施例１と同じである。しかし、実施例１が、上記構成の全てを１つの面内に有していたのに対し、この第２実施例では、図９（ｂ）に示すように枝部１０２が連結部１０５と同じ面内になく、角θで交差している。その結果、紐挿通部１０３は、本体部１０１とフィルム持上部１０４とで画定される平面から離れた位置に位置づけられることになる。
【００３９】
図１０は、この開閉具１００を使用した状態を示す図である。この開閉具１００は紐５１を引いて枝部１０２がほぼ垂直になる状態に引き上げたとき、角θがあるので、連結部１０５は垂直方向から角θだけ図１０の左側に片寄ることになる。したがって、紐５１を緩めたとき、開閉具１００は確実に矢印に示す反時計方向に回転して元の位置に戻ることになる。したがって、この開閉具１００は、パイプ３１の根本で使用することに限定されず、図１０に示すようにパイプ３１とパイプ３１との中間で使用することができる。
【００４０】
なお、この実施例においては、本体部１０１とフィルム持上部１０４とで画定される平面に対して枝部１０２が傾斜しているが、紐挿通部１０３がこの平面から離れていればよい。したがって、枝部１０２を他の実施例と同様に上記の平面内に入れて、紐挿通部１０３だけを枝部１０２に対して直交するように取り付けてこの平面から離反させるようにしてもよい。
【００４１】
図１１は、本発明における開閉具の第３実施例を示す図である。この開閉具２００は、本体部２０１と、これに交差するように延びる枝部２０２と、枝部の先端に設けられた紐挿通部２０３と、フィルム持上部２０４と、連結部２０５とから構成されている。ここまでの構成は図１の実施例１と同じである。しかし、この実施例では、枝部２０２と連結部２０５とを接続部２０８で繋いだことに特徴がある。トンネルハウスのフィルム３１を持ち上げる際に、枝部２０２と、連結部２０５との間の隙間にフィルム３１の裾３３が入り込むと、フィルム３１を開閉出来なくなるので、それを防止するものである。接続部２０８は実線に示すようにフィルム持上部２０４の延長上に形成してもよいが、仮想線に示す接続部２０８’のように、フィルム持上部２０４に対して若干の段差を設けてもよい。
【００４２】
図１２は、本発明における開閉具の第４実施例を示す図である。この開閉具３００は、本体部３０１と、これに交差するように延びる枝部３０２と、枝部の先端に設けられた紐挿通部３０３と、フィルム持上部３０４と、連結部３０５とから構成されている。ここまでの構成は図１の実施例１と同じである。この第４実施例の開閉具３００は、本体部３０１の外側に中空の筒体３０９を被せた構造に特徴がある。本体部３０１の先端３０１ａは外側に曲げられて筒体３０９の抜け落ちるのを防止している。このような構成にすると、筒体３０９をＵ字ピン１６等で固く固定しても、本体部３０１の回動は確保できる。
【００４３】
なお、本体部３０１の先端３０１ａの折り曲げを無くす変形例も可能である。その場合、予め筒体３０９をパイプ３１の根本に適当な取付具（図示せず）で固定しておき、固定された筒体３０９に各実施例の本体部を貫通させることで、Ｕ字ピン１６を用いることなく開閉具３００を回動可能な状態で保持できることになる。この場合、筒体３０９の長さは、図１２に示すものより短くしてもよい。
【００４４】
図１３は、本発明における開閉具の第５実施例を示す図である。この開閉具４００は、本体部４０１と、これに交差するように延びる枝部４０２と、枝部の先端に設けられた紐挿通部４０３と、フィルム持上部４０４と、連結部４０５とから構成されている。図１２までに示す実施例では、フィルム持上部４０４と、連結部４０５とは１本の棒材を折り曲げることで形成可能であったが、この実施例はそうなっていない。この実施例は、本体部４０１とフィルム持上部４０４との距離が可変になっていることに特徴がある。すなわち、フィルム持上部４０４の一端に円筒部４０７を設け、連結部４０５上をスライド自在にしている。円筒部４０７には、ほぼ中央に押しネジ４０６がある。フィルム持上部４０４を連結部４０５上の任意の位置に移動し、フィルム持上部４０４と本体部４０１との間の距離を所望の距離にしてから押しネジ４０６を締め付けて固定する。
【００４５】
図１４は、本発明における開閉具の第６実施例を示す図である。この開閉具５００は、本体部５０１と、これに交差するように延びる枝部５０２と、枝部の先端に設けられた紐挿通部５０３と、フィルム持上部５０４とから構成されている。フィルム持上部５０４は、枝部５０２に接続され、枝部５０２が連結部を兼ねた構成となっている。また、フィルム持上部５０４の先端は、外側に折り曲げられて突出部５０４ａとなっている。この突出部５０４ａを設けることで、フィルム３１がフィルム持上部５０４の先端から滑落するのを防止して、フィルム３１をフィルム持上部５０４上に保持し易くすることができる。この実施例では、突出部５０４ａはフィルム持上部５０４の先端にだけ設けたが、反対の枝部側に突起として形成し、両端からの滑落を防止する構成としてもよい。
【００４６】
【発明の効果】
以上に説明したように本発明のトンネルハウスの開閉具は、地上近くに回動可能に固定される棒状の本体部と、該本体部と交差する方向に延設された枝部と、該枝部の上記本体部から離間した位置に形成された紐挿通部と、上記本体部とほぼ平行に設けられたフィルム持上部と、該フィルム持上部と上記本体部との連結部と、を有するので、フィルムを突き破る心配なくフィルムを昇降してトンネルハウスを開閉することができる。
【００４７】
また、本発明のトンネルハウスの開閉装置は、のいずれかに記載のトンネルハウスの開閉具をトンネルハウスの長手方向に沿ってほぼ等間隔に複数個配置し、本体部をほぼ水平に置いた状態で回動可能に固定し、各開閉具と開閉具の中間にあるトンネルハウスのパイプに複数の紐掛具を固定し、各開閉具の紐挿通部と紐掛具とを交互に通過するように紐を挿通し、該紐の一端をトンネルハウスの一端側に固定したので、紐を引っ張ると紐挿通部が円弧状に上昇してフィルムの裾を上げてトンネルハウスを開き、紐を緩めると紐挿通部が円弧状に下降してフィルムの裾を降ろしてトンネルハウスを閉じることができる。
【００４８】
上記固定された本体部から離間した位置に紐挿通部材を設け、該紐挿通部材に挿通され、一端が上記本体部に対応する紐挿通部に固定され、他端がフィルムに固定される第２の紐を設けた構成とすれば、フィルムが水分で密着したり、低温で固くなって閉じ難い場合でも、確実に閉止することができる。
【００４９】
上記枝部と連結部とが接続部で接続されている構成とすれば、フィルム持上部と枝部との間にフィルムの裾が落ちて開閉できなくなるといった問題を解決することができる。
【００５０】
本体部が、中空の筒体内に回動自在に挿通されている構成とすれば、筒体を強く固定することができ、開閉具を安定して使用することができる。
【００５１】
フィルム持上部が、連結部に対してスライド可能で、本体部との距離を変更できる構成とすれば、フィルムを持ち上げる高さを自由に設定することができる。上記枝部が上記連結部を兼ねている構成とすれば、開閉具の構成を簡単にすることができる。
【００５２】
フィルム持上部にフィルムの滑落を防止する突出部を有する構成とすれば、フィルムがフィルム持上部から外れることを防止できるので、安定した開閉が可能となる。
【図面の簡単な説明】
【図１】本発明におけるトンネルハウスの開閉具の第１実施例を示す図である。
【図２】Ｕ字ピンの図である。
【図３】（ａ），（ｂ），（ｃ）は、紐挿通部の変形例を示す図である。
【図４】本発明のトンネルハウスの開閉装置の構成を示す図である。
【図５】図４のＡから見た拡大図である。
【図６】本発明の開閉具における他の使用状態を示す図で、開閉具を地上に倒した状態を示す。
【図７】開閉具が中間の位置にある状態を示す図である。
【図８】フィルム持上部がパイプに当たってそれ以上の回転を阻止された状態を示す図である
【図９】本発明における開閉具の第２実施例を示す図で、（ａ）は斜視図、（ｂ）は（ａ）のＢから見た図である。
【図１０】図９の開閉具を使用した状態を示す図である。
【図１１】本発明における開閉具の第３実施例を示す図である。
【図１２】本発明における開閉具の第４実施例を示す図である。
【図１３】本発明における開閉具の第５実施例を示す図である。
【図１４】本発明における開閉具の第６実施例を示す図である。
【図１５】トンネルハウスの斜視図である。
【図１６】従来のトンネルハウスの開閉具を示す図である。
【図１７】クリップの正面図及び側面図である。（ａ）は正面図で、（ｂ）は側面図である。
【図１８】従来のトンネルハウスの開閉具の使用状態を表す図である。
【符号の説明】
１０      開閉具
１１      本体部
１２      枝部
１３      紐挿通部
１４      フィルム持上部
１５      連結部
１９      紐挿通部材
５１      紐
５４      第２の紐
３０      トンネルハウス
３１      パイプ
３２      フィルム
１００，２００，３００，４００，５００    開閉具
１０１，２０１，３０１，４０１，５０１    本体部
１０２，２０２，３０２，４０２，５０２    枝部
１０３，２０３，３０３，４０３，５０３    紐挿通部
１０４，２０４，３０４，４０４，５０４    フィルム持上部
１０５，２０５，３０５，４０５    連結部
３０９      筒体
【図１】
2004194513.tif 000003
【図２】
2004194513.tif 000004
【図３】
2004194513.tif 000005
【図４】
2004194513.tif 000006
【図５】
2004194513.tif 000007
【図６】
2004194513.tif 000008
【図７】
2004194513.tif 000009
【図８】
2004194513.tif 000010
【図９】
2004194513.tif 000011
【図１０】
2004194513.tif 000012
【図１１】
2004194513.tif 000013
【図１２】
2004194513.tif 000014
【図１３】
2004194513.tif 000015
【図１４】
2004194513.tif 000016
【図１５】
2004194513.tif 000017
【図１６】
2004194513.tif 000018
【図１７】
2004194513.tif 000019
【図１８】
2004194513.tif 000020